(57)【要約】  簡易な構成により、表示画面に生じる残像を抑制することができる残像抑制装置および残像抑制方法を提供する。  光源からの光量を調整する調光部（１３０）を有する投写型表示装置に用いられる残像抑制装置（１００）は、調光部（１３０）にて光量が調整された光を、画像信号に基づいて変調して画像として表示する液晶パネル（１２０）と、新たな画像信号と、当該新たな画像信号の直前に受け付けられた画像信号と、に基づいて、当該画像信号に示される画像が静止画であるか否かを判定し、その結果に応じて、調光部（１３０）にて調整される光量を増減させる制御部（１４０）と、を含む。
2011108097.tif 000002
【特許請求の範囲】
【請求項１】
光源からの光量を調整する調光手段を有する投写型表示装置に用いられる残像抑制装置であって、
前記調光手段にて前記光量が調整された光を、画像信号に基づいて変調し画像として表示する液晶パネルと、
新たな画像信号と、当該新たな画像信号の直前に受け付けられた画像信号と、に基づいて、当該画像信号に示される画像が静止画であるか否かを判定し、その結果に応じて、前記調光手段にて調整される光量を増減させる制御手段と、を含む残像抑制装置。
【請求項２】
請求項１に記載の残像抑制装置において、
前記制御手段は、予め定められた、第１の閾値、および、光量を示す初期値を記憶し、前記画像信号に示される画像が静止画であるかの判定を行った回数をカウントしたカウント値を蓄積し、前記画像信号に示される画像が静止画でないと判定した場合には前記カウント値をリセットして前記初期値に示される光量とし、前記画像信号に示される画像が静止画であると判定した場合には前記カウント値をインクリメントし、その値が前記第１の閾値よりも小さな場合には前記光量を所定量減少させる、残像抑制装置。
【請求項３】
請求項２に記載の残像抑制装置において、
前記制御手段は、予め定められた前記第１の閾値よりも小さな第２の閾値を記憶し、前記カウント値をインクリメントした値が、前記第２の閾値以上である場合には前記光量を前記所定量減少させ、その後さらに前記インクリメントした値をインクリメントし、その値が前記第１の閾値以上である場合には、前記所定量減少させた光量をさらに前記所定量減少させる、残像抑制装置。
【請求項４】
請求項１から３のいずれか１項に記載の残像抑制装置において、
前記調光手段は、前記光源に供給する駆動電力の大きさを変化させることによって、前記光量を調整するものである、残像抑制装置。
【請求項５】
請求項１から４のいずれか１項に記載の残像抑制装置において、
前記調光手段は、前記光源からの光の遮断量を変化させることによって、前記光量を調整するものである、残像抑制装置。
【請求項６】
光源からの光量を調整する調光手段を有する投写型表示装置に用いられる残像抑制装置における残像抑制方法であって、
前記調光手段にて前記光量が調整された光を、画像信号に基づいて変調し画像として表示し、
新たな画像信号と、当該新たな画像信号の直前に受け付けられた画像信号と、に基づいて、当該画像信号に示される画像が静止画であるか否かを判定し、その結果に応じて、前記調光手段にて調整される光量を増減させる、残像抑制方法。
【請求項７】
請求項６に記載の残像抑制方法において、
前記光量を増減させることは、
予め定められた、第１の閾値、および、光量を示す初期値を記憶し、前記画像信号に示される画像が静止画であるかの判定を行った回数をカウントしたカウント値を蓄積し、前記画像信号に示される画像が静止画でないと判定した場合には前記カウント値をリセットして前記初期値に示される光量とし、前記画像信号に示される画像が静止画であると判定した場合には前記カウント値をインクリメントし、その値が前記第１の閾値よりも小さな場合には前記光量を所定量減少させることを含む、残像抑制方法。
【発明の詳細な説明】
【技術分野】
【０００１】
本発明は、残像抑制装置および残像抑制方法に関する。
【背景技術】
【０００２】
液晶パネルを有するプロジェクタでは、スクリーンに表示される映像の高輝度化が進んでいる。液晶パネルを有するプロジェクタは、例えば、ランプに供給する電力を大きくしてランプの光量を増大させ、液晶パネルに供給される光量を増大させることによって、高輝度化を図っている。【０００３】
液晶パネルに供給される光量が増大すると、液晶パネルの温度が上がるため、液晶中の不純物の付着が早くなる。液晶中の不純物の付着が早くなると、同じ映像が連続して表示される場合、その映像が残像として残り易くなり、最悪の場合には画面に焼き付きが発生してしまう。【０００４】
特許文献１には、画面焼き付き防止装置が記載されている。特許文献１に記載の画面焼き付き防止装置は、静止画／動画判定処理部と、移動制御部と、特定のレンズにより構成されるシフト手段と、を備えている。【０００５】
特許文献１に記載の画面焼き付き防止装置では、静止画／動画判定処理部が、前回格納された映像データと、今回格納された映像データとの間で、データの差分を検出し、検出した差分が閾値未満の場合には静止画と判定する。静止画／動画判定処理部にて連続して静止画の判定が行われると、移動制御部が、表示画面上における映像の表示位置がシフトするようにシフト手段を制御する。
【先行技術文献】
【特許文献】
【０００６】
【特許文献１】特開２００６−２５９２８７号公報
【発明の概要】
【発明が解決しようとする課題】
【０００７】
特許文献１に記載の画面焼き付き防止装置では、移動制御部が、シフト手段を制御して、表示画面上における映像の表示位置を調整する。このため、映像の表示位置を調整するには、装置にシフト手段を設ける必要があり、装置の構成の複雑化を招くとともに、製造コストが増加してしまうという問題があった。【０００８】
本発明の目的は、上記した課題を解決する残像抑制装置および残像抑制方法を提供することにある。
【課題を解決するための手段】
【０００９】
本発明の残像抑制装置は、光源からの光量を調整する調光手段を有する投写型表示装置に用いられる残像抑制装置であって、前記調光手段にて前記光量が調整された光を、画像信号に基づいて変調し画像として表示する液晶パネルと、新たな画像信号と、当該新たな画像信号の直前に受け付けられた画像信号と、に基づいて、当該画像信号に示される画像が静止画であるか否かを判定し、その結果に応じて、前記調光手段にて調整される光量を増減させる制御手段と、を含む。【００１０】
本発明の残像抑制方法は、光源からの光量を調整する調光手段を有する投写型表示装置に用いられる残像抑制装置における残像抑制方法であって、前記調光手段にて前記光量が調整された光を、画像信号に基づいて変調し画像として表示し、新たな画像信号と、当該新たな画像信号の直前に受け付けられた画像信号と、に基づいて、当該画像信号に示される画像が静止画であるか否かを判定し、その結果に応じて、前記調光手段にて調整される光量を増減させる。
【発明の効果】
【００１１】
本発明によれば、簡易な構成により、表示画面に生じる残像を抑制することが可能になる。
【図面の簡単な説明】
【００１２】
【図１】本発明の実施形態における残像抑制装置の構成例を示すブロック図である。
【図２】液晶パネル１２０の温度と残像レベルとの関係を示す図である。
【図３】液晶パネル１２０の温度と応答時間との関係を示す図である。
【図４】発光量調整部１３２を用いた残像抑制方法の処理手順例を示すフローチャートである。
【図５】遮断量調整部１３４を用いた残像抑制方法の処理手順例を示すフローチャートである。
【発明を実施するための形態】
【００１３】
以下、本発明の一実施形態について図面を参照して説明する。
【００１４】
図１は、本発明の実施形態における残像抑制装置の構成例を示すブロック図である。
【００１５】
残像抑制装置１００は、アナログの画像信号（以下「映像信号」と称する。）と、その映像信号に基づく表示動作を行うための同期信号と、をそれぞれ映像信号線１０１と同期信号線１０２とから受け付けて、スクリーン上に画像を表示する投写型表示装置に用いられる装置である。映像信号および同期信号は、例えば、パーソナルコンピュータなどの映像供給装置から供給される。
【００１６】
残像抑制装置１００は、受付部１１０と、液晶パネル１２０と、調光部１３０と、制御部１４０と、を備える。調光部１３０は、ランプ１３１と、発光量調整部１３２と、遮断部１３３と、遮断量調整部１３４と、を備える。制御部１４０は、メモリ１４１と、ＣＰＵ（Central  Processing  Unit）１４２と、カウンタ１４３と、を備える。
【００１７】
受付部１１０は、映像信号を受け付ける。受付部１１０は、Ａ／Ｄ（Analog/Digital）変換器１１１とフレームメモリ１１２とを備える。
【００１８】
Ａ／Ｄ変換器１１１は、映像信号線１０１から映像信号を受け付けると、その映像信号をデジタル信号に変換する。Ａ／Ｄ変換器１１１は、そのデジタル信号を、映像データとしてフレームメモリ１１２に供給する。
【００１９】
フレームメモリ１１２は、同期信号線１０２から供給される同期信号と、Ａ／Ｄ変換部１１１から供給される映像データと、を受け付ける。フレームメモリ１１２は、同期信号と映像データとを受け付けると、その同期信号に基づいてフレーム単位で映像データを保持する。すなわち、フレームメモリ１１２は、時系列に連続するフレームの映像データを順次保持する。
【００２０】
フレームメモリ１１２は、例えば、パーソナルコンピュータから映像信号が供給される場合には、水平同期信号および垂直同期信号に基づいて、１画面（フレーム）分の映像データを格納する。また、フレームメモリ１１２は、映像データを、液晶パネル１２０および制御部１４０に出力する。
【００２１】
液晶パネル１２０は、調光部１３０にてランプ１３１からの光量が調整された光を、画像信号に基づいて変調し画像として表示する。本実施形態では、液晶パネル１２０は、映像信号の表示媒体である透過型液晶パネルである。
【００２２】
液晶パネル１２０は、フレームメモリ１１２からの映像データに基づいて、ランプ１３１からの光を変調する。液晶パネル１２０は、その変調した光を映像として表示する。また、液晶パネル１２０にて表示される画像は、例えば、図示されていない投写レンズによって、スクリーン上に拡大表示される。
【００２３】
液晶パネル１２０は、液晶パネル１２０の温度が高くなるにつれて、表示画面に残像が残り易くなり、温度が低くなるにつれて、応答速度が遅くなる特性を有している。
【００２４】
液晶パネル１２０は、調光部１３０から供給される光量が増大すると、温度が上昇する。液晶パネル１２０は、温度が上昇するにつれて、液晶の中の不純物の付着が早くなるため、液晶パネル１２０によって表示される映像には、残像が残り易くなる。
【００２５】
図２は、液晶パネル１２０の温度と残像レベルとの関係を示す図である。図２では、横軸を液晶パネル１２０の温度とし、縦軸を、表示画面に生じる残像の度合いを示す残像レベルとしている。
【００２６】
図２に示すように、液晶パネル１２０の温度が高くなるにつれて残像が残り易くなることがわかる。したがって、液晶パネル１２０に供給される光量が多くなるほど、液晶パネル１２０の温度が高くなって、残像が残り易くなる。
【００２７】
また、液晶パネル１２０は、調光部１３０から供給される光量が減少すると、温度が低下する。液晶パネル１２０は、温度が低下するにつれて、応答速度が遅くなる。
【００２８】
図３は、液晶パネル１２０の温度と応答時間との関係を示す図である。図３では、横軸を液晶パネル１２０の温度とし、縦軸を、液晶パネル１２０の応答時間としている。
【００２９】
図３に示すように、液晶パネル１２０の温度が下がり過ぎると応答速度が遅くなることがわかる。このため、液晶パネル１２０に供給される光量が減少するほど、液晶パネル１２０の温度が低くなって、画品位に与える影響が大きくなる。
【００３０】
調光部１３０は、一般的に調光手段と呼ぶことができる。
【００３１】
調光部１３０は、ランプ１３１からの光量を調整する。すなわち、調光部１３０は、液晶パネル１２０に供給される光量を調整する。
【００３２】
調光部１３０は、ランプ１３１に供給する駆動電力の大きさを変化させることによって、液晶パネル１２０に供給される光量を調整する。また、調光部１３０は、ランプ１３１から出射される光の遮断量を変化させることによって、液晶パネル１２０に供給される光量を調整する。
【００３３】
ランプ１３１は、光源として液晶パネル１２０に光を供給する。ランプ１３１は、発光量調整部１３２から駆動電力の供給を受けて発光する。ランプ１３１は、駆動電力が大きくなるにつれて、発光量が大きくなる。
【００３４】
発光量調整部１３２は、ＣＰＵ１４２の制御に従って、ランプ１３１に供給する駆動電力の大きさを増減させることによって、液晶パネル１２０に供給される光量を調整する。
【００３５】
発光量調整部１３２は、例えば、予め定められた光量（以下「基準光量」と称する。）を示す情報（以下「基準情報」と称する。）をＣＰＵ１４２から受け付ける。発光量調整部１３２は、基準情報を受け付けると、基準情報に示される基準光量に相当する駆動電力をランプ１３１に供給する。
【００３６】
また、発光量調整部１３２は、例えば、液晶パネル１２０に供給される光量の基準光量に対する割合を示す情報（以下「割合情報」と称する。）をＣＰＵ１４２から受け付ける。発光量調整部１３２は、割合情報を受け付けると、その割合情報に示される割合（例えば、９０％、８０％）の光量に相当する駆動電力をランプ１３１に供給する。
【００３７】
なお、ランプ１３１の発光量を下げ過ぎると、ランプ１３１の光にちらつき（フリッカ現象）が発生するため、基準光量に対する割合の下限は、一般的に、８０％程度までに制限される。
【００３８】
遮断部１３３は、ランプ１３１から出射される光の一部または全部を遮断するものである。遮断部１３３は、例えば、絞り機構などにより構成される。
【００３９】
遮断量調整部１３４は、ＣＰＵ１４２の制御に従って、遮断部１３３を駆動し、ランプ１３１の光束が通過する開口面積を増減させることによって、液晶パネル１２０に供給される光量を調整する。
【００４０】
遮断量調整部１３４は、物理的に光を遮断するため、遮断量に制限はない。このため、遮断量調整部１３４は、液晶パネル１２０に供給される光量の増減幅を発光量調整部１３２よりも大きくすることができる。
【００４１】
遮断量調整部１３４は、例えば、ＣＰＵ１４２から基準情報を受け付けると、基準情報に示される基準光量になるように開口面積を調整する。また、遮断量調整部１３４は、例えば、ＣＰＵ１４２から割合情報を受け付けると、液晶パネル１２０に供給される光量が、割合情報に示される割合（例えば、６０％、２０％）の光量になるように、開口面積を調整する。
【００４２】
制御部１４０は、一般的に制御手段と呼ぶことができる。
【００４３】
制御部１４０は、受付部１１０にて受け付けられた新たな映像信号と、その新たに受け付けられた映像信号の直前に受け付けられた映像信号とに基づいて、当該映像信号に示される画像が静止画であるか否かを判定する。また、制御部１４０は、判定結果に応じて、調光部１３０にて調整される光量を増減させる。
【００４４】
制御部１４０は、予め定められた、第１の閾値（以下「閾値Ｂ」と称する。）、および、基準光量を示す初期値を記憶し、映像信号に示される画像が静止画であるかの判定を行った回数をカウントしたカウント値を蓄積し、映像信号に示される画像が静止画でないと判定した場合にはカウント値をリセットして初期値に示される光量とする。
また、制御部１４０は、画像信号に示される画像が静止画であると判定した場合には、カウント値をインクリメントし、その値が閾値Ｂよりも小さな場合には光量を所定量だけ減少させる。
また、制御部１４０は、予め定められた閾値Ｂよりも小さな第２の閾値（以下「閾値Ａ」と称する。）を記憶し、カウント値をインクリメントした値が、閾値Ａ以上である場合には、液晶パネル１２０に供給される光量を所定量だけ減少させる。制御部１４０は、その後さらにインクリメントした値をインクリメントし、その値が閾値Ｂ以上である場合には、所定量だけ減少させた光量をさらに所定量減少させる。
【００４５】
メモリ１４１は、ＣＰＵ１４２のワークメモリである。メモリ１４１は、ＣＰＵ１４２から供給される映像データを保持する。本実施形態では、メモリ１４１は、フレームメモリ１１２にて受け付けられた時系列に連続する２つの映像データを保持する。
【００４６】
すなわち、メモリ１４１は、ＣＰＵ１４２から供給された新たな映像データ（以下「最新の映像データ」と称する。）と、その最新の映像データの直前に保持された映像データ（以下「直前の映像データ」と称する。）と、を保持する。また、メモリ１４１は、閾値Ａと、閾値Ｂおよび基準光量を示す初期値と、を記憶する。
【００４７】
ＣＰＵ１４２は、発光量調整部１３２または遮断量調整部１３４の一方の調整部と、カウンタ１４３と、のそれぞれを制御する。
【００４８】
ＣＰＵ１４２は、メモリ１４１に保持された２つの映像データに基づいて、当該映像データに示される画像が静止画であるか動画であるかを判定する。ＣＰＵ１４２は、その結果に応じて、液晶パネル１２０に供給される光量を増減させることによって、液晶パネル１２０の温度を調整する。
【００４９】
本実施形態では、ＣＰＵ１４２は、フレームメモリ１１２に新たに映像データが格納させると、フレームメモリ１１２に格納された映像データを、最新の映像データとしてメモリ１４１に保持する。
【００５０】
また、ＣＰＵ１４２は、メモリ１４１に保持された最新の映像データと、直前の映像データと、を照合し、これらの映像データに示される画像が静止画であるか動画であるかを判定する。
【００５１】
すなわち、ＣＰＵ１４２は、最新の映像データと、直前の映像データとの間の相関性を示す相関度を算出し、その算出結果が、予め定められた閾値（以下「相関閾値」と称する。）を超えるか否かを判断する。ＣＰＵ１４２は、算出結果が、相関閾値を超える場合には、静止画と判定し、算出結果が閾値以下である場合には、動画と判定する。なお、相関閾値は、メモリ１４１に保持されている。
【００５２】
ＣＰＵ１４２は、例えば、最新の映像データと直前の映像データとについて、表示画面上における所定エリアに対応するデータ同士を比較し、両データの差分（フレーム間差分）を、相関度として算出する。この例では、両データの差分が大きくなるほど、相関度は小さくなる。所定エリアは、例えば、画面上における４隅近辺に設定される。
【００５３】
また、ＣＰＵ１４２は、映像データを静止画と判定した場合には、カウンタ１４３のカウント値をインクリメントするためのカウント信号を出力する。本実施形態では、ＣＰＵ１４２は、フレームメモリ１１２に映像データが格納されるたびに、映像データの判定を行い、映像データが静止画であると判定するたびに、カウント信号を出力する。
【００５４】
また、ＣＰＵ１４２は、カウント値が、メモリ１４１に記憶された閾値Ａ以上である場合には、液晶パネル１２０に供給される光量を所定量減少させるための割合情報（以下「第１割合情報」と称する。）を生成する。
【００５５】
ＣＰＵ１４２は、例えば、基準光量に対する割合を９０％にするための第１割合情報を、発光量調整部１３２に供給する。または、ＣＰＵ１４２は、基準光量に対する割合を６０％にするための第１割合情報を、遮断量調整部１３４に供給する。このため、ＣＰＵ１４２は、液晶パネル１２０に供給される光量を減少させて、液晶パネル１２０の温度を下げることができる。
【００５６】
また、ＣＰＵ１４２は、カウント値が、メモリ１４１の初期値に示された閾値Ｂ以上である場合には、第１割合情報に示される割合の光量をさらに所定量減少させるための割合情報（以下「第２割合情報」と称する。）を生成する。したがって、ＣＰＵ１４２は、カウント値が閾値Ｂよりも小さな場合には、第２割合情報の生成を抑制する。
【００５７】
ＣＰＵ１４２は、例えば、基準光量に対する割合を８０％にするための第２割合情報を、発光量調整部１３２に供給する。または、ＣＰＵ１４２は、基準光量に対する割合を２０％にするための第２割合情報を、遮断量調整部１３４に供給する。よって、ＣＰＵ１４２は、液晶パネル１２０に供給される光量をさらに減少させて、液晶パネル１２０の温度をさらに下げることができる。
【００５８】
一方、ＣＰＵ１４２は、映像データを動画と判定した場合には、カウンタ１４３のカウント値をリセットするためのリセット信号を出力する。
【００５９】
また、ＣＰＵ１４２は、映像データを動画と判定した場合には、液晶パネル１２０に供給される光量を、メモリ１４１の初期値に示された基準光量（１００％）を示す基準情報を生成し、その基準情報を、発光量調整部１３２または遮断量調整部１３４に供給する。
【００６０】
カウンタ１４３は、映像信号に示される画像が静止画であるとの判定を連続して行った回数をカウントしたカウント値を蓄積する。カウンタ１４３は、そのカウント値をＣＰＵ１４２に出力する。
【００６１】
カウンタ１４３は、ＣＰＵ１４２からカウント信号を受け付けると、カウント値を「１」増加する。また、カウンタ１４３は、ＣＰＵ１４２からリセット信号を受け付けると、カウント値を「０」にリセットする。
【００６２】
次に、残像抑制装置１００の動作について説明する。
【００６３】
図４は、発光量調整部１３２を用いた残像抑制方法の処理手順例を示すフローチャートである。
【００６４】
まず、ＣＰＵ１４２は、フレームメモリ１１２に映像データが格納されたか否かを判断する（ステップＳ９１１）。ＣＰＵ１４２は、フレームメモリ１１２に映像データが格納されると、その映像データと同一の内容をメモリ１４１にコピーする（ステップＳ９１２）。
【００６５】
ＣＰＵ１４２は、フレームメモリ１１２にて受け付けられた最新の映像データと、直前の映像データと、を照合し、相関度が相関閾値を超えるか否かを判断する（ステップＳ９１３）。
【００６６】
ＣＰＵ１４２は、相関度が相関閾値以下である場合には、映像データを動画と判定し、カウント値を「０」に設定する（ステップＳ９１８）。
【００６７】
ＣＰＵ１４２は、カウント値を「０」に設定すると、基準情報を発光量調整部１３２に供給し、発光量調整部１３２にて光量が基準光量（１００％）に設定されて、ステップＳ９１２に戻る（ステップＳ９１９）。
【００６８】
一方、ＣＰＵ１４２は、映像データに示される映像を静止画と判定すると、カウント値を１つ増加させる（ステップＳ９１４）。ＣＰＵ１４２は、カウント値を１つ増加させると、そのカウント値が閾値Ａ以上であるか否かを判断する（ステップＳ９１５）。
【００６９】
ＣＰＵ１４２は、カウント値が閾値Ａ未満である場合には、ステップＳ９１２に戻る。一方、ＣＰＵ１４２は、カウント値が閾値Ａ以上である場合には、カウント値が閾値Ｂ以上であるか否かを判断する（ステップＳ９１６）。
【００７０】
ＣＰＵ１４２は、カウント値が閾値Ｂ未満である場合には、発光量調整部１３２に第１割合情報を供給し、発光量調整部１３２にて光量が基準光量に対し９０％に設定される（ステップＳ９２０）。
【００７１】
一方、ＣＰＵ１４２は、カウント値が閾値Ｂ以上である場合には、発光量調整部１３２に第２割合情報を供給して、発光量調整部１３２にて光量が基準光量に対して８０％に設定され（ステップＳ９１７）、ステップＳ９１２に戻り、映像データの供給が終了するまで一連の処理手順を繰り返す。
【００７２】
図５は、遮断量調整部１３４を用いた残像抑制方法の処理手順例を示すフローチャートである。
【００７３】
まず、ＣＰＵ１４２は、フレームメモリ１１２に映像データが格納されたか否かを判断する（ステップＳ９２１）。ＣＰＵ１４２は、フレームメモリ１１２に映像データが格納されると、その映像データと同一の内容をメモリ１４１にコピーする（ステップＳ９２２）。
【００７４】
ＣＰＵ１４２は、フレームメモリ１１２にて受け付けられた最新の映像データと、直前の映像データと、を照合し、相関度が相関閾値を超えるか否かを判断する（ステップＳ９２３）。
【００７５】
ＣＰＵ１４２は、相関度が相関閾値以下である場合には、映像データに示される映像が動画であると判定し、カウント値を「０」に設定する（ステップＳ９２８）。
【００７６】
ＣＰＵ１４２は、カウント値を「０」に設定すると、基準情報を遮断量調整部１３４に供給し、遮断量調整部１３４にて遮断部１３３が駆動されて光量が基準光量（１００％）に設定され、ステップＳ９２２に戻る（ステップＳ９２９）。
【００７７】
一方、ＣＰＵ１４２は、映像データに示される映像が静止画であると判定すると、カウント値を１つ増加させる（ステップＳ９２４）。ＣＰＵ１４２は、カウント値を１つ増加させると、そのカウント値が閾値Ａ以上であるか否かを判断する（ステップＳ９２５）。
【００７８】
ＣＰＵ１４２は、カウント値が閾値Ａ未満である場合には、ステップＳ９２２に戻る。一方、ＣＰＵ１４２は、カウント値が閾値Ａ以上である場合には、カウント値が閾値Ｂ以上であるか否かを判断する（ステップＳ９２６）。
【００７９】
ＣＰＵ１４２は、カウント値が閾値Ｂ未満である場合には、遮断量調整部１３４に第１割合情報を供給して、遮断量調整部１３４にて遮断部１３３が駆動されて光量が基準光量に対し６０％に設定される（ステップＳ９３０）。
【００８０】
一方、ＣＰＵ１４２は、カウント値が閾値Ｂ以上である場合には、遮断量調整部１３４に第２割合情報を供給し、遮断量調整部１３４にて遮断部１３３が駆動されて光量が基準光量に対し２０％に設定され（ステップＳ９２７）、ステップＳ９２２に戻り、映像データの供給が終了するまで一連の処理手順を繰り返す。
【００８１】
本実施形態によれば、残像抑制装置１００が、調光部１３０にて光量が調整された光を、画像信号に基づいて変調して画像を表示する液晶パネル１２０を有し、制御部１４０が、新たな画像信号と、当該新たな画像信号の直前に受け付けられた画像信号と、に基づいて、当該画像信号に示される画像が静止画であるか否かを判定する。このため、残像抑制装置１００は、表示画像に残像が残り易い状況であるか否かを判断することができる。
【００８２】
また、本実施形態では、制御部１４０が、画像信号に示される画像が静止画であるか否かを判定し、その結果に応じて、調光部１３０にて調整される光量を増減させる。このため、残像抑制装置１００は、液晶パネル１２０にて静止画が連続して表示される場合に、液晶パネル１２０に供給される光量を減少させることによって、液晶パネル１２０の温度を低下させることができる。
【００８３】
したがって、残像抑制装置１００は、静止画が連続して表示される場合に、液晶パネル１２０の温度を低下させることによって、液晶中の不純物の付着を遅くし、表示画面に残像を生じ難くすることができる。
【００８４】
また、残像抑制装置１００は、調光部１３０を用いて液晶パネル１２０に供給される光量を調整し、液晶パネル１２０の温度を調整する。このため、残像抑制装置１００では、液晶パネル１２０の温度調整のための調整手段を新たに設ける必要がないため、装置構成の複雑化を回避することができるとともに、製造コストの増加を抑制することができる。
【００８５】
よって、残像抑制装置１００は、簡易な構成により、液晶パネル１２０により生成される画像に生じる残像を抑制することができる。
【００８６】
また、本実施形態では、制御部１４０は、予め定められた、第１の閾値、および、光量を示す初期値を記憶し、画像信号に示される画像が静止画であるかの判定を行った回数をカウントしたカウント値を蓄積する。そして、制御部１４０は、画像信号に示される画像が静止画でないと判定した場合にはカウント値をリセットして初期値に示される光量とする。
【００８７】
よって、残像抑制装置１００は、画像信号に示される画像が動画である場合には、液晶パネル１２０に供給される光量を静止画であるときよりも多くするため、液晶パネル１２０の温度低下に伴う応答特性の劣化を改善することができる。
【００８８】
また、本実施形態では、制御部１４０が、画像信号に示される画像が静止画であると判定した場合にはカウント値をインクリメントし、その値が第１の閾値よりも小さな場合には、液晶パネル１２０に供給される光量を所定量だけ減少させる。
【００８９】
よって、残像抑制装置１００は、画像信号に示される画像が静止画であるとの判定回数が、連続して所定の回数を超えない限り、液晶パネル１２０に供給される光量の減少量を一定に維持する。このため、残像抑制装置１００は、液晶パネル１２０に供給される光量の下げ過ぎによって、液晶パネル１２０の温度が低下し過ぎることを抑制することができる。したがって、残像抑制装置１００は、液晶パネル１２０の温度低下によって液晶パネル１２０の応答速度が低下し過ぎることを防止し、表示画像の品質の低下を抑制することができる。
【００９０】
また、本実施形態では、制御部１４０が、予め定められた第１の閾値よりも小さな第２の閾値を記憶し、カウント値をインクリメントした値が、第２の閾値以上である場合には液晶パネル１２０に供給される光量を所定量減少させ、その後さらにインクリメントした値をインクリメントし、その値が第１の閾値以上である場合には、所定量減少させた光量をさらに所定量減少させる。
【００９１】
このため、残像抑制装置１００は、静止画が連続して表示される期間が長くなるにつれて、液晶パネル１２０に供給される光量を段階的に減少させることができる。よって、残像抑制装置１００は、残像が残り易い状況に従って、液晶パネル１２０に供給する光量を段階的に減少させるため、光量の変動によるユーザへの違和感を低減することができる。
【００９２】
また、本実施形態では、発光量調整部１３２が、ランプ１３１に供給する駆動電力の大きさを変化させることによって、液晶パネル１２０に供給される光量を調整する。このため、残像抑制装置１００は、ランプ１３１の発光量を変化させることで、簡易に液晶パネル１２０の温度を増減させることができる。
【００９３】
また、本実施形態では、遮断量調整部１３４が、ランプ１３１からの光の遮断量を変化させることによって、液晶パネル１２０に供給される光量を調整する。残像抑制装置１００は、液晶パネル１２０に供給される光量を、発光量調整部１３２よりも少なくすることができるため、液晶パネル１２０の温度の増減幅を大きくすることができる。
【００９４】
また、残像抑制装置１００は、静止画から動画に切り替わった際に、動画を表示するときに供給する光量よりも多い光量を、一定期間、液晶パネル１２０に供給するようにしてもよい。これにより、残像抑制装置１００は、液晶パネル１２０の温度が、所定の指定温度に達するまでに要する時間を短縮することができる。このため、液晶パネル１２０の応答速度をより短期間に改善することができる。
【００９５】
また、残像抑制装置１００は、動画から静止画に切り替わった際に、静止画を表示するときに供給する光量よりも少ない光量を、一定期間、液晶パネル１２０に供給するようにしてもよい。これにより、残像抑制装置１００は、液晶パネル１２０の温度が、所定の指定温度に達するまでに要する時間を短縮することができる。このため、液晶パネル１２０の画像に生じる残像をより低減することができる。
【００９６】
なお、本実施形態では、発光量調整部１３２または遮断量調整部１３４の一方を用いて、液晶パネル１２０に供給される光量を調整する例について説明したが、双方を組み合わせて光量を調整するようにしてもよい。
【００９７】
以上説明した各実施形態において、図示した構成は単なる一例であって、本発明はその構成に限定されるものではない。
【符号の説明】
【００９８】
１００  残像抑制装置
１１０  受付部
１１１  Ａ／Ｄ変換器
１１２  フレームメモリ
１２０  液晶パネル
１３０  調光部
１３１  ランプ
１３２  発光量調整部
１３３  遮断部
１３４  遮断量調整部
１４０  制御部
１４１  メモリ
１４２  ＣＰＵ
１４３  カウンタ
【図１】
2011108097.tif 000003
【図２】
2011108097.tif 000004
【図３】
2011108097.tif 000005
【図４】
2011108097.tif 000006
【図５】
2011108097.tif 000007
【国際調査報告】
2011108097.tif 000008
2011108097.tif 000009
2011108097.tif 000010
2011108097.tif 000011